(57)【要約】【課題】ノズルから吐出されたマット化液を適切な固形分濃度に調整することにより、最適形状のマットを被塗布物に形成することを課題とする。【解決手段】マット化液室１６にはマット化液が貯留されており、塗布ヘッド本体１２に接続された電源２８によって、マット化液室１６のマット化液に負の電圧が印加される。このマット化液がノズル１８から液滴３６となって吐出される。液滴３６は、被塗布物２０に付着するまでの飛行中にノズル１８と被塗布物２０との間に設けられたヒーターユニット２２によって加熱される。これによって、液滴３６中の水分が蒸発して固形分濃度が調整され、被塗布物２０の塗布面２０Ａへの付着後の変形が抑えられ、被塗布物２０に最適な形状のマット３２を形成する。【選択図】    図１
2004249190.tif 000002
【特許請求の範囲】
【請求項１】
塗布液を内部に貯留する塗布液室と、
前記塗布液室に設けられ、前記塗布液を被塗布物に向かって液滴として吐出する吐出口と、
前記吐出口と前記被塗布物との間に設けられ、飛行中の前記液滴の溶媒量を調整する溶媒分調整手段と、
を備えたことを特徴とする塗布装置。
【請求項２】
前記塗布液室と前記被塗布物に対して、正または負の電圧を印加する電圧印加手段が設けられたことを特徴とする請求項１に記載の塗布装置。
【請求項３】
前記吐出口はノズルであることを特徴とする請求項１または請求項２に記載の塗布装置。
【請求項４】
前記溶媒分調整手段がヒーターユニットであることを特徴とする請求項１〜請求項３のいずれかに記載の塗布装置。
【請求項５】
前記ヒーターユニットのノズル側端部には、遮熱板が設けられたことを特徴とする請求項４に記載の塗布装置。
【請求項６】
前記ヒーターユニットは絶縁体で覆われていることを特徴とする請求項４または請求項５に記載の塗布装置。
【請求項７】
前記ヒーターユニットで加熱が開始される位置は、前記ノズルの先端部から１ｍｍ〜１０ｍｍ離れていることを特徴とする請求項４〜請求項６のいずれかに記載の塗布装置。
【請求項８】
前記ヒーターユニットは、各ノズルから吐出される液滴が通過する複数の筒部材からなることを特徴とする請求項４〜請求項７のいずれかに記載の塗布装置。
【請求項９】
前記筒部材の軸線と、前記ノズルの軸線とが、同一直線上にあることを特徴とする請求項８に記載の塗布装置。
【請求項１０】
前記筒部材の内径寸法が、前記ノズルのノズル径の２０倍以上であることを特徴とする請求項８または請求項９に記載の塗布装置。
【請求項１１】
前記ヒーターユニットは、それぞれのノズルからの液滴が通過する通路を形成する二枚のパネルヒーターで構成されたことを特徴とする請求項４〜請求項７のいずれかに記載の塗布装置。
【請求項１２】
前記ヒーターユニットは、熱媒体が循環するヒータであることを特徴とする請求項４に記載の塗布装置。
【請求項１３】
塗布液が塗布される被塗布物と塗布液室に貯留された前記塗布液とに対して正または負の電圧を印加し、前記塗布液を前記被塗布物に向かって前記塗布液室のノズルから滴状に吐出させ、前記被塗布物に付着するまでの飛行中に、前記塗布液中の溶媒分を調整することを特徴とする塗布液の塗布方法。
【発明の詳細な説明】
【０００１】
【発明の属する技術分野】
本発明は、被塗布物に塗布液を塗布する塗布装置及び塗布液の塗布方法に関する。
【０００２】
【従来の技術】
図６に示すように、マット化液を貯留したマット化液室１０２と、マット化液（塗布液）が塗布される被塗布物１０４とに、正または負の電圧を印加して、ノズル１０６から被塗布物１０４に向かってマット化液１０８を一定間隔で放出して、被塗布物１０４にマット化液１０８を付着させる静電塗布装置１００が用いられている（特許文献１）。
【０００３】
しかし、この静電塗布装置１００の場合、ノズル１０６から放出されたマット化液が被塗布物１０４へ付着するまでの時間が短く乾燥しにくいので、マット化液１０８の付着時の固形分濃度が低い。このため、マット化液１０８が被塗布物１０４に付着してから乾燥するまでの間において、図５（Ｂ）または（Ｄ）に示すように、マット１０７が凹んだり、高さが低いマットとなるなど、被塗布物１０４の表面に最適なマットを形成することができなかった。
【０００４】
【特許文献１】
特願２００１−２１１１２０号（第１図）
【０００５】
【発明が解決しようとする課題】
本発明は、上記事実を考慮し、ノズルから吐出されたマット化液（塗布液）を適切な固形分濃度に調整することにより、最適形状のマットを被塗布物に形成することができる塗布装置および塗布液の塗布方法を提供することを目的とする。
【０００６】
【課題を解決するための手段】
上記課題を解決するために、請求項１に記載の本発明の塗布装置は、塗布液を内部に貯留する塗布液室と、前記塗布液室に設けられ、前記塗布液を被塗布物に向かって液滴として吐出する吐出口と、前記吐出口と前記被塗布物との間に設けられ、飛行中の前記液滴の溶媒分を調整する溶媒分調整手段と、を備えたことを特徴としている。
【０００７】
請求項１に記載の発明によれば、吐出口から塗布液室に貯留された塗布液を液滴として被塗布物に向かって吐出する。この液滴は、被塗布物に付着するまでの飛行中に吐出口と被塗布物との間に設けられた溶媒分調整手段によって溶媒量が調整される。
【０００８】
溶媒分調整手段は、液滴中に含まれる溶媒量を調整することで、被塗布物に付着したときの液滴の固形分濃度を適度な状態にするだけでなく、高粘度の液滴の場合には液滴に溶媒分を付与して、適度な状態にすることができる。
【０００９】
これによって、被塗布物のマット化に使用されるマット化液などのように高粘度であっても、液滴の固形分濃度を調整することができるので、この塗布装置を被塗布物のマット化に使用すれば、液滴の被塗布物への付着後の変形を抑え、最適なマット形状を得ることができる。
【００１０】
請求項２に記載の本発明の塗布装置は、前記塗布液室と前記被塗布物に対して、正または負の電圧を印加する電圧印加手段が設けられたことを特徴としている。
【００１１】
請求項２に記載の発明によれば、電圧印加手段によって液滴に正または負の電圧を印加することで、液滴と被塗布物との間に電圧差が生じ、液滴がクーロン力を受けて被塗布物の塗布面に向かって飛行して付着する。
【００１２】
請求項３に記載の本発明の塗布装置は、前記吐出手段はノズルであることを特徴としている。
【００１３】
請求項３に記載の発明によれば、吐出口としてノズルを使用することで、吐出口での液滴の濡れ広がりが防止できる。
【００１４】
請求項４に記載の本発明の塗布装置は、前記溶媒分調整手段がヒーターユニットであることを特徴としている。
【００１５】
請求項４に記載の発明によれば、ヒーターユニットによってノズルと被塗布物との間を飛行中の液滴を加熱し、溶媒分を蒸発させ液滴の固形分濃度を調整する。これによって、被塗布物には均一な形状のマットが形成できる。
【００１６】
請求項５に記載の本発明の塗布装置は、前記ヒーターユニットのノズル側端部には、遮熱板が設けられたことを特徴としている。
【００１７】
請求項５に記載の発明によれば、ヒーターユニットのノズル側端部に遮熱板を設けたことで、ヒーターユニットの熱がノズルに伝わるのを防ぎ、ノズル内で塗布液が加熱されることによるノズル詰まりが防止できる。
【００１８】
請求項６に記載の本発明の塗布装置は、前記ヒーターユニットは絶縁体で覆われていることを特徴としている。
【００１９】
請求項６に記載の発明によれば、ヒーターユニットは絶縁体で覆われているため、電気的に中性となっており、帯電した液滴がノズルから吐出され、ヒーターユニットに付着することがない。
【００２０】
請求項７に記載の本発明の塗布装置は、前記ヒーターユニットで加熱が開始される位置は、前記ノズルの先端部から１ｍｍ〜１０ｍｍ離れていることを特徴としている。
【００２１】
請求項７に記載の発明によれば、ノズルから吐出された液滴が、ノズル先端部から１ｍｍ〜１０ｍｍの位置において加熱が開始される。これによって、液滴の固形分濃度が最適な状態に調整できる。
【００２２】
請求項８に記載の本発明の塗布装置は、前記ヒーターユニットは、各ノズルから吐出される液滴が通過する複数の筒部材からなることを特徴としている。
【００２３】
請求項８に記載の発明によれば、ヒーターユニットは筒部材とされ、各ノズルに対応して設けられており、その筒部材の内側を各ノズルから吐出される液滴が通過する。
【００２４】
筒部材の内側部分を通過する液滴は、通過方向に対して側面となる面全体にヒーターユニットからの熱が伝わるので、短い時間で液滴の固形分濃度の調整が行える。
【００２５】
請求項９に記載の本発明の塗布装置は、前記筒部材の軸線と、前記ノズルの軸線とが、同一直線上にあることを特徴としている。
【００２６】
請求項９に記載の発明によれば、筒部材の軸線とノズルの軸線とが同一直線上にあることで、ノズルから吐出された液滴の側面から筒部材の内側までの距離が等しくなり、液滴は均等に加熱されることになる。
【００２７】
請求項１０に記載の本発明の塗布装置は、前記筒部材の内径寸法が、前記ノズルのノズル径の２０倍以上であることを特徴としている。
【００２８】
請求項１０に記載の発明によれば、筒部材の内径寸法をノズル径の２０倍未満としたとき、塗布液の固形分濃度を制御することが難しい。このため、筒部材の内径寸法をノズル径の２０倍以上とすることで、塗布液の固形分濃度の制御が容易となる。
【００２９】
請求項１１に記載の本発明の塗布装置は、前記ヒーターユニットは、それぞれのノズルからの液滴が通過する通路を形成する二枚のパネルヒーターで構成されたことを特徴としている。
【００３０】
請求項１１に記載の発明によれば、ノズルを複数備えたとき、二枚のパネルヒーターをノズルからの液滴が通過する通路を形成するように備えることで、いずれのノズルから吐出された液滴にも、まんべんなく熱がいきとどくようにされている。
【００３１】
請求項１２に記載の本発明の塗布装置は、前記ヒーターユニットは、熱媒体が循環するヒータであることを特徴としている。
【００３２】
請求項１２に記載の発明によれば、ヒーターユニットは電気によって熱を発生するヒーターユニットだけでなく、ガスヒーターや温水、オイル等の熱媒体を循環させるヒーターを用いることもできる。これにより、液滴の飛行ルートに影響を与える電磁波を発生させる恐れがなくなる。
【００３３】
請求項１３に記載の本発明の塗布液の塗布方法は、塗布液が塗布される被塗布物と塗布液室に貯留された前記塗布液とに対して正または負の電圧を印加し、前記塗布液を前記被塗布物に向かって前記塗布液室のノズルから滴状に吐出させ、前記被塗布物に付着するまでの飛行中に、前記塗布液中の水分を調整することを特徴としている。
【００３４】
請求項１３に記載の発明によれば、ノズルから被塗布物に向かって、塗布液が吐出され、被塗布物に向かって飛行して付着する。
【００３５】
この塗布方法で塗布液を被塗布物に塗布することで、高粘度なマット化液であっても、液滴の固形分濃度を調整することができる。
【００３６】
【発明の実施の形態】
本発明の第１の実施形態に係る塗布装置としてのマット化装置１０について説明する。
【００３７】
図１に示すように、マット化装置１０は、有底筒状の塗布ヘッド１２を備えている。この塗布ヘッド１２の開口部１２Ａは、塗布ヘッド１２の底部とほぼ同形状のノズルプレート１４に覆われ、ノズルプレート１４と塗布ヘッド１２とで、マット化液（塗布液）が貯留されるマット化液室１６を形成している。
【００３８】
マット化液室１６内に貯留されるマット化液は、後述する被塗布物２０に塗布できるものであれば特に制限はないが、たとえば、静電塗装に使用される溶剤形塗料やエマルジョン型塗料のように比較的低粘度のものから、マット化液やハイソリッド型塗料のように粘度が数１００ｍＰａ・ｓと高粘度のものまで包含される。
【００３９】
ノズルプレート１４には、マット化液を滴状にして液滴３６を吐出するノズル１８が、被塗布物２０の幅方向に沿って、一列に一定の間隔で配列されている。
【００４０】
マット化液室１６およびノズル１８は、ステンレス製もしくは鉄製で形成されており、他に真鍮、銅等の金属製を用いてもよい。マット化液室１６およびノズル１８をこれらの導電性材料で形成することで、マット化液室１６およびノズル１８に電圧を印加するだけで、マット化液室１６内のマット化液が帯電する。
【００４１】
被塗布物２０は、ノズル１８の先端から被塗布物２０の塗布面２０Ａまでの距離Ｂを１０ｍｍ以上とされているが、好ましくは１０ｍｍ〜１００ｍｍの間がよい。
【００４２】
なお、本実施形態では、被塗布物２０を所定の大きさに裁断したシート状として、図１の矢印Ｈ方向に搬送しながら一枚ずつマット化するようにしたが、長尺帯状の被塗布物を矢印Ｈ方向に連続搬送してもよい。
【００４３】
ノズル１８と被塗布物２０との間には、筒状のヒーターユニット２２がその軸線をノズル１８の軸線と一致するように、ノズル１８の数と同数配置されている。
【００４４】
ヒーターユニット２２は、全体がセラミック樹脂の絶縁体２２で覆われており、内側には加熱コイル２４が組み込まれている。加熱コイル２４はオイル加熱器２９に接続されており、オイル加熱器２９によって加熱コイル２４の中を高温のオイルが循環して、ヒーターユニット２２の内側へ熱が放射される。また、ヒーターユニット２２の塗布ヘッド１２側には、絶縁体からなる遮熱板２６が取付けられている。なお、絶縁体２２はセラミック樹脂の他にも、陶器や、ポリテトラフルオロエチレン（ＰＴＦＥ）、ポリオキシメチレン（ＰＯＭ）、ポリエチレン（ＰＥ）、ポリプロピレン（ＰＰ）、ポリ塩化ビニル（ＰＶＣ）等の樹脂を用いることもできる。
【００４５】
ヒーターユニット２２は、ノズル１８側の端部２２Ａ（加熱開始位置）とノズル１８先端部との距離Ａが３ｍｍ〜６ｍｍの範囲となるように配置されている。なお、この距離Ａは１ｍｍ〜１０ｍｍの範囲であればよく、３ｍｍ〜６ｍｍに限定されるものではない。なお、この距離Ａが１ｍｍ以下であると、ヒーターユニット２２からの熱によって、ノズル１８先端でマット化液の固形分濃度が上昇し、液詰まりが生じる。また、距離Ａが１０ｍｍ以上になると、ノズル１８から吐出された液滴３６は、ヒーターユニット２２通過前に溶媒分が減少し、ヒーターユニット２２を通過したときに必要以上に固形分濃度が上昇して、被塗布物２０に最適なマットを形成することができない。
【００４６】
また、ヒーターユニット２２の被塗布物２０側の端部２２Ｂ（加熱完了位置）と被塗布物２０の塗布面２０Ａとの距離Ｃは、１ｍｍ〜１０ｍｍの範囲とされ、好ましくは２〜５ｍｍがよい。
【００４７】
さらに、ヒーターユニット２２の内径Ｍは、塗布ヘッド１２のノズル１８の内径Ｌの約２０倍以上とされ、特に、直径Ｌの３０〜６０倍の大きさが好ましい。
【００４８】
塗布ヘッド１２の外側には、塗布ヘッド本体１２に電圧を印加する電源２８が設けられている。この電源２８は、負極が塗布ヘッド１２に接続され、正極が接地されているので、塗布ヘッド１２には負の電圧が印加される。なお、塗布ヘッド１２に印加する電圧は負の電圧である必要はなく、電源２８の正極を塗布ヘッド１２のいずれかの部分に接続して負極を接地し、塗布ヘッド１２には正の電圧を印加するようにしてもよい。
【００４９】
ノズル１８は、導電性材料からなるノズルプレート１４を介して塗布ヘッド１２と電気的に接続されているので、電源２８から塗布ヘッド１２に印加される電圧と同一の大きさの電圧が、ノズル１８にも印加される。
【００５０】
一方、被塗布物２０は導電性材料であり、一端が接地されたリード線３０の他端が電気的に接触している。これによって被塗布物２０はアースされた状態となり、電位は常にゼロとなって、矢印Ｈ方向に移動できる。
【００５１】
電源２８から塗布ヘッド１２に付加される電圧の大きさは、ノズル１８の先端から被塗布物２０までの距離との関係で、ノズル１８から吐出される液滴の１秒間の個数が所望の範囲内になるように定めることができるが、通常は、１〜１２０ｋＶの範囲であり、好ましくは３〜６０ｋＶの範囲である。
【００５２】
次に、第１の実施形態に係る作用について説明する。
【００５３】
図１に示すように、マット化液室１６にはマット化液が貯留されており、塗布ヘッド本体１２に接続された電源２８によって、マット化液室１６のマット化液に負の電圧が印加される。このマット化液がノズル１８から液滴３６となって吐出される。ここで、液滴３６は帯電しており、液滴３６と被塗布物２０との間に電圧差が生じている。これによって、液滴３６はクーロン力を受けて被塗布物２０の塗布面２０Ａに向かって飛行する。
【００５４】
液滴３６は、被塗布物２０に付着するまでの飛行中にノズル１８と被塗布物２０との間に設けられたヒーターユニット２２によって加熱される。これによって、液滴３６中の水分が蒸発して固形分濃度が調整され、被塗布物２０の塗布面２０Ａへの付着後の変形が抑えられ、被塗布物２０に最適な形状のマット３２を形成する。
【００５５】
ここで、ヒーターユニット２２は絶縁体２７で覆われており、電気的に中性となっている。このため、マット化液室１６で電圧を印加されたマット化液が、ノズル１８から液滴３６として吐出され、被塗布物２０へ向かって飛行する間にヒーターユニット２２に引き付けられて付着することがない。
【００５６】
さらに、ヒーターユニット２２のノズル１８側端部に遮熱板２６を設けたことで、ヒーターユニット２２からの熱がノズル１８に伝わり、ノズル１８内でマット化液が加熱されることが防げる。これによって、ノズル１８詰まり等が防止できる。
【００５７】
次に、第２の実施形態に係る静電塗布装置について説明する。なお、第１の実施形態と共通する部分の説明は割愛する。
【００５８】
図２および図３に示すように、ノズル１８と被塗布物２０との間に、ノズル１８が並べられた一方向に対して平行となるように、かつノズル１８から吐出された液滴３６が通過できる通路を形成するようにして、二枚の電熱式のパネルヒーター４８、５０が配設されている。なお、パネルヒーター４８とパネルヒーター５０の間隔Ｌ１は、ノズル１８の内径の２０倍以上とされ、好ましくは３０〜６０倍である。
【００５９】
また、図４に示すように、パネルヒーター４８、５０には、それぞれ発熱体４９、５２が組み込まれており、この発熱体４９、５２には図示しない電源が接続されている。電源から発熱体４９、５２に電圧が印加されると、発熱体４９、５２が加熱され、パネルヒーター４８、５０間が温められる。
【００６０】
次に、第２の実施形態の作用について説明する。
【００６１】
ノズル１８から吐出された液滴３６が通過できる通路を、二枚のヒーターユニット４８、５０で形成することで、いずれのノズル１８から吐出された液滴３６にも、まんべんなく熱がいきとどくようにされている。これによって、ノズル１８から吐出された液滴３６は、被塗布物２０に付着するまでの飛行中に、液滴３６中の水分が蒸発して固形分濃度が調整され、被塗布物２０の塗布面２０Ａへの付着後の変形が抑えられ、被塗布物２０に最適な形状のマット３２を形成する。
【００６２】
また、二枚のパネルヒーター４８、５０を設けるだけで、複数のノズル１８から吐出される液滴３６を同時に加熱することができるので、構造が簡単である。
【００６３】
なお、本発明の実施形態においては、パネルヒーター４８、５０を用いて液滴３６の固形分濃度を調整したが、電気式のパネルヒーター４８、５０に限らず、熱媒体を循環させるものであれば、第１の実施形態と同様に、ガスヒーターや温水、オイル等の熱媒体を循環させるヒーターを用いることもできる。これにより、液滴３６の飛行ルートに影響を与える電磁波が発生する恐れがなくなる。
【００６４】
また、塗布ヘッド１２、マット化液室１６、ノズル１８を絶縁性材料で形成して、これらのいずれかに電極を設置し、外部から電圧を印加するようにしてもよい。
【００６５】
さらに、マット化液室１６の内壁面を導電性材料で内張りし、導電性の内張りを電極として使用することもできる。
【００６６】
電源（電圧印加手段）は、直流を印加することが好ましいが、通常の商用交流のような正弦波を印加してもよく、矩形波および台形波など、各種の波形を形成する交番電流を印加してもよい。交番電流を印加する場合には、交番電流の波形を制御することにより、ノズル１８から吐出される液滴３６の粒径を制御できる。
【００６７】
被塗布物としては、塗布液を静電塗布できるシート状またはフィルム状の、アルミニウム薄板、薄鋼鈑などの導電性シート材、プラスチックシート、プラスチックフィルム、紙、各種ラミネート紙などの絶縁性シート材が挙げられる。また、この被塗布物の用途としては、磁気記録材料、平板印刷材料等の記録材料、反射防止フィルムや視野角改善フィルムなどの光学材料等に用いることができ、また、これに限定されるものではない。
【００６８】
また、ヒーターユニット２２又は４８、５０で液滴３６を加熱して液滴３６中に含まれる水分を蒸発させることで、被塗布物に付着した液滴３６の固形分濃度を適度な状態にするだけでなく、加湿器を用いて液滴に水分を付与し、高粘度の液滴の固形分濃度をマット化に最適な状態にすることもできる。
【００６９】
さらに、本発明の塗布装置は、被塗布物２０をマット化するための塗布装置としてだけでなく、塗布液をスプレーして被塗布物に塗布する方法に用いることも可能である。
【００７０】
ここで、実施例として、ノズル１８と被塗布物２０との間にヒーターユニット２２を設けたマット化装置１０を用い、被塗布物２０の塗布面２０Ａをマット化する試験を行った。なお、被塗布物２０としては、アクリル塗料を塗布したアルミニウム板を用いた。
【００７１】
マット化装置１０において、ノズル１８と被塗布物２０との距離を３０ｍｍｍとし、−２５ｋＶの直流電圧を印加した。マット化液室１６には、メチルメタクリレート／エチルアルコール／アクリル酸ソーダを６８：２０：１２の仕込重量比で共重合して得られた共重合ポリマー水溶液を、固形分濃度１８％にして調整を行ったマット化液を貯留した。
【００７２】
ここで、ヒーターユニット２２の温度を３０℃〜２００℃とし、被塗布物２０に形成されたマット形状を観察した。
【００７３】
結果を表１に示す。
【００７４】
【表１】
2004249190.tif 000003
表１に示すように、３０〜６０℃の間では、液滴３６の形状は、図５（Ｂ）に示すように円盤状であったが、６０℃から液滴３６の形状が良化し、８０℃のときには図５（Ａ）に示すような半球状のマット３２が得られた。１２０℃においても、半球状のマット３２が得られたが、１５０℃以上になると固形分濃度が高くなりすぎて図５（Ｃ）に示すような球状となり、マットとしては適していない。
【００７５】
以上のように、本発明では、マット化に最適な半球状のマットが形成されることがわかる。
【００７６】
【発明の効果】
本発明は上記構成としたので、ノズルから吐出されたマット化液を適切な濃度に調整することにより、最適形状のマットを被塗布物に形成することができる。
【図面の簡単な説明】
【図１】本発明の第１の実施形態に係る塗布装置の概略を示す側面図である。
【図２】本発明の第２の実施形態に係る塗布装置の概略を示す側面図である。
【図３】本発明の第２の実施形態に係る塗布装置の概略を示す平面図である。
【図４】本発明の第２の実施形態に係る塗布装置のノズルとヒーターユニットを、ノズルの軸線方向から見た図である。
【図５】（Ａ）被塗布物に付着したマット形状が半球状を示す図であり、（Ｂ）マット形状が円盤状を示す図であり、（Ｃ）マット形状が球状を示す図であり、（Ｄ）マット形状が変形した状態を示す説明図である。
【図６】従来の実施形態に係る塗布装置の概略を示す平面図である。
【符号の簡単な説明】
１０    マット化装置（塗布装置）
１６    マット化液室（塗布液室）
１８    ノズル（吐出口）
２０    被塗布物
２２    ヒーターユニット（溶媒分調整手段）（筒部材）
２６    遮熱板
２８    電源（電圧印加手段）
３６    液滴
４８    パネルヒーター（溶媒分調整手段）
５０    パネルヒーター（溶媒分調整手段）
【図１】
2004249190.tif 000004
【図２】
2004249190.tif 000005
【図３】
2004249190.tif 000006
【図４】
2004249190.tif 000007
【図５】
2004249190.tif 000008
【図６】
2004249190.tif 000009